(57)【特許請求の範囲】
【請求項１】
トランスファ入力軸と、
該トランスファ入力軸上に設けられたドライブ部材と、
前記トランスファ入力軸と平行に配置されたトランスファ出力軸と、
該トランスファ出力軸上に設けられ、前記ドライブ部材と噛合する又は巻き掛け部材を介して連絡されたドリブン部材と、
前記トランスファ出力軸に設けられ、外側継手部材と内側継手部材を有する自在継手と、を備え、
該自在継手が前記ドリブン部材の径方向の内側に配設された車両のトランスファ構造であって、
前記ドリブン部材と前記トランスファ出力軸とを軸方向一方側で連結する連結部を有すると共に、ドリブン部材の軸方向他方側は、開口部を通じて前記自在継手が出し入れ可能に収容される収容部とされ、
前記トランスファ出力軸の外周面と、前記ドリブン部材の内周面との間には、前記自在継手が前記収容部に収容された状態で前記外周面及び前記内周面の間をシールするためのシール部材を備える
ことを特徴とする車両のトランスファ構造。
【請求項２】
前記自在継手は、前記外側継手部材と前記内側継手部材の間でトルクを伝達するトルク伝達体を備え、
前記外側継手部材は、前記内側継手部材の端部が嵌合され、嵌合された前記内側継手部材の前記端部との間で前記トルク伝達体を支持する嵌合部と、該嵌合部よりも小径であって、前記トランスファ出力軸の軸方向一方側に延びる軸部と、を備え、
前記シール部材は、前記外側継手部材の前記軸部の外周面に配設される
ことを特徴とする請求項１に記載の車両のトランスファ構造。
【請求項３】
前記連結部は、前記外側継手部材の前記軸部の外周面と前記ドリブン部材の内周面とを連結し、
前記シール部材は、前記連結部の前記トランスファ出力軸の軸方向他方側に配設される
ことを特徴とする請求項２に記載の車両のトランスファ構造。
【請求項４】
トランスファ入力軸と、該トランスファ入力軸上に設けられたドライブ部材と、前記トランスファ入力軸と平行に配置されたトランスファ出力軸と、該トランスファ出力軸上に設けられ、前記ドライブ部材と噛合する又は巻き掛け部材を介して連絡されたドリブン部材と、前記トランスファ出力軸に設けられた自在継手と、を備え、該自在継手が前記ドリブン部材の径方向の内側に配設された収容部に収容された車両のトランスファ構造の組付方法であって、
前記内側継手部材と、外周面にシール部材を有する前記外側継手部材とをサブアセンブリして前記自在継手を準備する工程と、
サブアセンブリされた前記自在継手を前記収容部の前記トランスファ出力軸の軸方向他方側に設けられた開口部から前記収容部内に移動させて前記ドリブン部材に組み付ける工程と、を有する
ことを特徴とする車両のトランスファ構造の組付方法。
【請求項５】
トランスファ入力軸と、該トランスファ入力軸上に設けられたドライブ部材と、前記トランスファ入力軸と平行に配置されたトランスファ出力軸と、該トランスファ出力軸上に設けられ、前記ドライブ部材と噛合する又は巻き掛け部材を介して連絡されたドリブン部材と、前記トランスファ出力軸に設けられた自在継手と、を備え、該自在継手が前記ドリブン部材の径方向の内側に配設された収容部に収容された車両のトランスファ構造の組付方法であって、
前記内側継手部材及び前記外側継手部材をサブアセンブリして前記自在継手を準備する工程と、
サブアセンブリされた前記自在継手を前記収容部の前記トランスファ出力軸の軸方向他方側に設けられた開口部から前記収容部内に移動させ、内周面にシール部材を有する前記ドリブン部材に組み付ける工程と、を有する
ことを特徴とする車両のトランスファ構造の組付方法。
【請求項６】
トランスファ入力軸と、該トランスファ入力軸上に設けられたドライブ部材と、前記トランスファ入力軸と平行に配置されたトランスファ出力軸と、該トランスファ出力軸上に設けられ、前記ドライブ部材と噛合する又は巻き掛け部材を介して連絡されたドリブン部材と、前記トランスファ出力軸に設けられた自在継手と、を備え、該自在継手が前記ドリブン部材の径方向の内側に配設された収容部に収容された車両のトランスファ構造の交換方法であって、
内側継手部材と、外周面にシール部材を有する外側継手部材とを有する第１自在継手を、前記収容部内において前記ドリブン部材に組み付けされた位置から前記収容部の前記トランスファ出力軸の軸方向他方側に設けられた開口部を通って前記トランスファ構造の外部に移動させて取り外す工程と、
内側継手部材と、外周面にシール部材を有する外側継手部材とをサブアセンブリして第２自在継手を準備する工程と、
サブアセンブリされた前記第２自在継手を前記収容部の前記トランスファ出力軸の軸方向他方側に設けられた開口部から前記収容部内に移動させて前記ドリブン部材に組み付ける工程と、を有する
ことを特徴とする車両のトランスファ構造の交換方法。
【請求項７】
トランスファ入力軸と、該トランスファ入力軸上に設けられたドライブ部材と、前記トランスファ入力軸と平行に配置されたトランスファ出力軸と、該トランスファ出力軸上に設けられ、前記ドライブ部材と噛合する又は巻き掛け部材を介して連絡されたドリブン部材と、前記トランスファ出力軸に設けられた自在継手と、を備え、該自在継手が前記ドリブン部材の径方向の内側に配設された収容部に収容された車両のトランスファ構造の交換方法であって、
内側継手部材及び外側継手部材を有する第１自在継手を、前記収容部内において前記ドリブン部材に組み付けされた位置から前記収容部の前記トランスファ出力軸の軸方向他方側に設けられた開口部を通って前記トランスファ構造の外部に移動させて取り外す工程と、
前記内側継手部材及び前記外側継手部材をサブアセンブリして第２自在継手を準備する工程と、
サブアセンブリされた前記第２自在継手を前記収容部の前記トランスファ出力軸の軸方向他方側に設けられた開口部から前記収容部内に移動させ、内周面にシール部材を有する前記ドリブン部材に組み付ける工程と、を有する
ことを特徴とする車両のトランスファ構造の交換方法。
【発明の詳細な説明】
【技術分野】
【０００１】
本発明は、車両のトランスファ構造、特に、四輪駆動車に適用されるトランスファ構造と、その組付方法及びその交換方法に関する。
【背景技術】
【０００２】
四輪駆動車として、車両前部にエンジン等の動力源と変速機とを軸心が車両前後方向に延びるように配置し、該変速機の出力部から後方に延びる後輪推進軸及び後輪差動装置を介して主駆動輪としての後輪に動力を伝達すると共に、前記変速機の出力部から前輪駆動用の動力を取り出すトランスファ装置を備え、該トランスファ装置の出力部から前方に延びる前輪駆動軸及び前輪差動装置を介して補助駆動輪としての前輪にも動力を伝達可能としたものが知られている。
【０００３】
上記四輪駆動車は、前輪推進軸の前後両端部には、変速機乃至トランスファ装置の出力部と差動装置の入力部との位置関係の変化を許容するための自在継手が設けられる。
【０００４】
ところが、前輪推進軸は、トランスファ装置が車両前部寄りに位置する関係で、一般に後輪推進軸に比べて短く、そのため、前記自在継手における折れ角が大きくなり、変速機との干渉やトルク変動の増大等の問題が生じやすくなる。
【０００５】
この課題に対して、例えば特許文献１には、変速機の出力部から一対のスプロケット間に巻き掛けられたチェーンを介して前輪駆動用の動力を取り出し、ドリブン側のスプロケットから前方に延びる前輪推進軸及び前輪差動装置を介して前輪に動力を伝達する構成において、前記前輪推進軸の後端部に設けられる自在継手をトランスファ装置の内部において前記ドリブン側スプロケットの径方向の内側に設けたものが開示されている。
【０００６】
これによれば、自在継手がトランスファ装置の外側に設けられる場合に比べて、前輪駆動軸を長くすることができるので、自在継手における折れ角が小さくなり、前記変速機との干渉やトルク変動の増大等の問題が抑制される。
【先行技術文献】
【特許文献】
【０００７】
【特許文献１】特開平０４−２２８９５３号公報
【発明の概要】
【発明が解決しようとする課題】
【０００８】
ところが、上述の特許文献１に記載のトランスファ装置では、前輪推進軸と直結されるトランスファ出力軸とトランスファケースとの間にオイルシールが設けられているため、該トランスファケースの内側に設けられた自在継手を交換する際には、トランスファ装置自体を分解する必要がある。そのため、トランスファケースの外側に自在継手が設けられたものよりも、サービス性が低下する原因となる。
【０００９】
そこで、本発明は、トランスファ装置自体を分解することなく、自在継手の交換が可能なトランスファ構造を提供することを課題とする。
【課題を解決するための手段】
【００１０】
前記課題を解決するため、本発明に係る車両のトランスファ構造、その組付方法及びその交換方法は、次のように構成したことを特徴とする。
【００１１】
本願の請求項１に記載の発明は、
トランスファ入力軸と、
該トランスファ入力軸上に設けられたドライブ部材と、
前記トランスファ入力軸と平行に配置されたトランスファ出力軸と、
該トランスファ出力軸上に設けられ、前記ドライブ部材と噛合する又は巻き掛け部材を介して連絡されたドリブン部材と、
前記トランスファ出力軸に設けられ、外側継手部材と内側継手部材を有する自在継手と、を備え、
該自在継手が前記ドリブン部材の径方向の内側に配設された車両のトランスファ構造であって、
前記ドリブン部材と前記トランスファ出力軸とを軸方向一方側で連結する連結部を有すると共に、ドリブン部材の軸方向他方側は、開口部を通じて前記自在継手が出し入れ可能に収容される収容部とされ、
前記トランスファ出力軸の外周面と、前記ドリブン部材の内周面との間には、前記自在継手が前記収容部に収容された状態で前記外周面及び前記内周面の間をシールするためのシール部材を備える
ことを特徴とする。
【００１２】
なお、特許請求の範囲における「トランスファ出力軸の軸方向一方側」及び「他方側」は、後述の本発明の実施形態における「反エンジン側」及び「エンジン側」にそれぞれ相当する。
【００１３】
また、請求項２に記載の発明は、前記請求項１に記載の車両のトランスファ構造において、
前記自在継手は、前記外側継手部材と前記内側継手部材の間でトルクを伝達するトルク伝達体を備え、
前記外側継手部材は、前記内側継手部材の端部が嵌合され、嵌合された前記内側継手部材の前記端部との間で前記トルク伝達体を支持する嵌合部と、該嵌合部よりも小径であって、前記トランスファ出力軸の軸方向一方側に延びる軸部と、を備え、
前記シール部材は、前記外側継手部材の前記軸部の外周面に配設される
ことを特徴とする。
【００１４】
また、請求項３に記載の発明は、前記請求項２に記載の車両のトランスファ構造において、
前記連結部は、前記外側継手部材の前記軸部の外周面と前記ドリブン部材の内周面とを連結し、
前記シール部材は、前記連結部の前記トランスファ出力軸の軸方向他方側に配設される
ことを特徴とする。
【００１５】
本願の請求項４に記載の発明は、
トランスファ入力軸と、該トランスファ入力軸上に設けられたドライブ部材と、前記トランスファ入力軸と平行に配置されたトランスファ出力軸と、該トランスファ出力軸上に設けられ、前記ドライブ部材と噛合する又は巻き掛け部材を介して連絡されたドリブン部材と、前記トランスファ出力軸に設けられた自在継手と、を備え、該自在継手が前記ドリブン部材の径方向の内側に配設された収容部に収容された車両のトランスファ構造の組付方法であって、
前記内側継手部材と、外周面にシール部材を有する前記外側継手部材とをサブアセンブリして前記自在継手を準備する工程と、
サブアセンブリされた前記自在継手を前記収容部の前記トランスファ出力軸の軸方向他方側に設けられた開口部から前記収容部内に移動させて前記ドリブン部材に組み付ける工程と、を有する
ことを特徴とする。
【００１６】
また、本願の請求項５に記載の発明は、
トランスファ入力軸と、該トランスファ入力軸上に設けられたドライブ部材と、前記トランスファ入力軸と平行に配置されたトランスファ出力軸と、該トランスファ出力軸上に設けられ、前記ドライブ部材と噛合する又は巻き掛け部材を介して連絡されたドリブン部材と、前記トランスファ出力軸に設けられた自在継手と、を備え、該自在継手が前記ドリブン部材の径方向の内側に配設された収容部に収容された車両のトランスファ構造の組付方法であって、
前記内側継手部材及び前記外側継手部材をサブアセンブリして前記自在継手を準備する工程と、
サブアセンブリされた前記自在継手を前記収容部の前記トランスファ出力軸の軸方向他方側に設けられた開口部から前記収容部内に移動させ、内周面にシール部材を有する前記ドリブン部材に組み付ける工程と、を有する
ことを特徴とする。
【００１７】
また、本願の請求項６に記載の発明は、
トランスファ入力軸と、該トランスファ入力軸上に設けられたドライブ部材と、前記トランスファ入力軸と平行に配置されたトランスファ出力軸と、該トランスファ出力軸上に設けられ、前記ドライブ部材と噛合する又は巻き掛け部材を介して連絡されたドリブン部材と、前記トランスファ出力軸に設けられた自在継手と、を備え、該自在継手が前記ドリブン部材の径方向の内側に配設された収容部に収容された車両のトランスファ構造の交換方法であって、
内側継手部材と、外周面にシール部材を有する外側継手部材とを有する第１自在継手を、前記収容部内において前記ドリブン部材に組み付けされた位置から前記収容部の前記トランスファ出力軸の軸方向他方側に設けられた開口部を通って前記トランスファ構造の外部に移動させて取り外す工程と、
内側継手部材と、外周面にシール部材を有する外側継手部材とをサブアセンブリして第２自在継手を準備する工程と、
サブアセンブリされた前記第２自在継手を前記収容部の前記トランスファ出力軸の軸方向他方側に設けられた開口部から前記収容部内に移動させて前記ドリブン部材に組み付ける工程と、を有する
ことを特徴とする。
【００１８】
また、本願の請求項７に記載の発明は、
トランスファ入力軸と、該トランスファ入力軸上に設けられたドライブ部材と、前記トランスファ入力軸と平行に配置されたトランスファ出力軸と、該トランスファ出力軸上に設けられ、前記ドライブ部材と噛合する又は巻き掛け部材を介して連絡されたドリブン部材と、前記トランスファ出力軸に設けられた自在継手と、を備え、該自在継手が前記ドリブン部材の径方向の内側に配設された収容部に収容された車両のトランスファ構造の交換方法であって、
内側継手部材及び外側継手部材を有する第１自在継手を、前記収容部内において前記ドリブン部材に組み付けされた位置から前記収容部の前記トランスファ出力軸の軸方向他方側に設けられた開口部を通って前記トランスファ構造の外部に移動させて取り外す工程と、
前記内側継手部材及び前記外側継手部材をサブアセンブリして第２自在継手を準備する工程と、
サブアセンブリされた前記第２自在継手を前記収容部の前記トランスファ出力軸の軸方向他方側に設けられた開口部から前記収容部内に移動させ、内周面にシール部材を有する前記ドリブン部材に組み付ける工程と、を有する
ことを特徴とする。
【発明の効果】
【００１９】
上記の構成により、本願の請求項１に記載の発明によれば、自在継手の外側継手部材の外周面と、ドリブン部材の内周面との間にシール部材が設けられているので、トランスファ装置の内部に設けられた自在継手を交換する際、単にドリブン部材の内側から外側継手部材を内側継手部材と共にトランスファ装置の外部へ引き抜けばよく、トランスファ装置自体を分解する必要がない。そのため、トランスファ装置のシール性を確保しながらサービス性を向上させることができる。
【００２０】
また、請求項２に記載の発明によれば、シール部材は、外側継手部材の軸部の外周面に配設されているので、シール部材の大径化を抑制し、シール部材による摩擦抵抗を低減することができる。
【００２１】
また、請求項３に記載の発明によれば、外側継手部材の軸部の外周面とドリブン部材の内周面とを連結する連結部を有し、シール部材は、連結部のトランスファ出力軸の軸方向他方側に配設されているので、連結部への水等の侵入を防止することができる。
【００２２】
また、請求項４に記載の発明によれば、トランスファケースので、外側継手部材にシール部材を設けた形態の場合にも、トランスファ装置本体に単に自在継手を挿入すればよいので、自在継手の組み付けを容易にすることができる。
【００２３】
また、請求項５に記載の発明によれば、ドリブン部材にシール部材を設けた形態の場合にも、トランスファ装置本体に単に自在継手を挿入すればよいので、自在継手の組み付けを容易にすることができる。
【００２４】
また、請求項６に記載の発明によれば、外側継手部材にシール部材を設けた形態の場合にも、トランスファ装置自体を分解する必要が無いので、自在継手のサービス性を向上させることができる。
【００２５】
更に、請求項７に記載の発明によれば、ドリブン部材にシール部材を設けた形態の場合にも、トランスファ装置自体を分解する必要が無いので、自在継手のサービス性を向上させることができる。
【図面の簡単な説明】
【００２６】
【図１】本発明の実施形態に係る車両の動力伝達機構を示す概略図である。
【図２】図１のトランスファ構造を示す断面図である。
【図３】図２のドリブンギヤに設けられたダンパ装置を示す拡大断面図である。
【図４】本実施形態に係るトランスファ装置の組み立て状況（１）を説明する図である。
【図５】本実施形態に係るトランスファ装置の組み立て状況（２）を説明する図である。
【図６】本実施形態に係るトランスファ装置の組み立て状況（３）を説明する図である。
【図７】本実施形態に係るトランスファ装置の組み立て状況（４）を説明する図である。
【図８】変形例のトランスファ構造のドリブンギヤに設けられたダンパ部材を示す拡大断面図である。
【発明を実施するための形態】
【００２７】
（本実施形態）
まず、本実施形態に係る車両のトランスファ構造について、図１〜図３を参照しながら詳細に説明する。
【００２８】
図１に示すように、本実施形態に係る車両は、フロントエンジン・リヤドライブ車ベースの四輪駆動車であって、車体前部のエンジンルーム内にエンジン１と変速機２でなるパワーユニットが縦置きに搭載されている。該パワーユニットは、エンジン１の駆動力を変速機２で変速して出力する。変速機２の後方には、該パワーユニットの出力するトルクを主駆動輪である後輪と共に、補助駆動輪である前輪にも分配するためにトランスファ装置１０が設けられている。
【００２９】
トランスファ装置１０は、車両前後方向に延びて互いに平行に配設されたトランスファ入力軸１１（以下、単に「入力軸１１」という）とトランスファ出力軸１２（以下、単に「出力軸１２」という）を備える。入力軸１１は、その一端が変速機２の出力軸に連絡され、反エンジン側に延びてその他端が後輪に連絡されており、出力軸１２は、前輪に連絡されている。入力軸１１上には、ドライブギヤ１３が設けられ、出力軸１２上には、ドライブギヤ１３に噛み合うドリブンギヤ１６が設けられており、これらのドライブギヤ１３及びドリブンギヤ１６からなるギヤ列によって、入力軸１１から出力軸１２にトルクが伝達可能に構成されている。
【００３０】
また、トランスファ装置１０は、電磁クラッチを用いたトルクスプリット式と呼ばれる自動断続が可能なトランスファ装置であって、入力軸１１上には、後輪（主駆動輪）と前輪（補助駆動輪）へ伝達されるトルク比を５０：５０から１００：０の範囲で変更することができる可変容量カップリング機構２０（以下、単に「カップリング機構２０」という）が設けられている。
【００３１】
また、出力軸１２上には、エンジン１で発生する共振周波数を常用域外へ移動させるためのダンパ装置５０が設けられている。本実施形態の場合、ダンパ装置５０は、出力軸１２においてドリブンギヤ１６の後方側、すなわち、後述する自在継手６０の反エンジン側に設けられている。
【００３２】
更に、出力軸１２は、その前端部に自在継手６０が設けられ、該自在継手６０を介してフロントプロペラシャフト７０（以下、単に「プロペラシャフト７０」という）の後端部と連結されている。自在継手６０は、ドリブン部材１６の径方向の内側に配設されている。
【００３３】
プロペラシャフト７０は、その前端部に自在継手８０が設けられ、該自在継手８０を介してフロントデファレンシャルギヤ９０の入力軸９１と連結されている。フロントデファレンシャルギヤ９０は、入力軸９１のトルクを左右の出力軸９２、９２に分配して左右前輪を回転駆動する。プロペラシャフト７０は、車両後方に向かって縮径している変速機２の変速機ケースの後部に沿って車両前後方向に対して傾いて配置されている。
【００３４】
次に、図２を参照しながら、トランスファ装置１０の構造についてより詳細に説明する。
【００３５】
［トランスファ装置］
図２に示すように、トランスファ装置１０は、トランスファケース１０ａ内に収納されている。本実施形態において、トランスファケース１０ａは、３分割構造を有し、車両前方から順に積層され、互いに油密に結合された第１ケース部材１０ａ１、第２ケース部材１０ａ２及び第３ケース部材１０ａ３で構成されている。トランスファケース１０ａは、その車両前方に前壁部１０ｂを有し、該前壁部１０ｂを変速機２にボルトを介して着脱自在に取り付けられるように構成されている。
【００３６】
トランスファケース１０ａの一端側（図２の上方）には、入力軸１１が回転自在に収容され、他端側（図２の下方）には、出力軸１２が回転自在に収容されている。
【００３７】
また、トランスファケース１０ａは、第１ケース部材１０ａ１と第２ケース部材１０ａ２によって囲まれた収容空間１０ｃと収容空間１０ｄを一端側と他端側にそれぞれ有し、第２ケース部材１０ａ２と第３ケース部材１０ａ３によって囲まれた収容空間１０ｅと収容空間１０ｆを一端側と他端側にそれぞれ有している。
【００３８】
収容空間１０ｃには、入力軸１１上に設けられたドライブギヤ１３が収容され、収容空間１０ｄには、出力軸１２上に設けられたドリブンギヤ１６が収容されている。また、収容空間１０ｅには、入力軸１１上に設けられたカップリング機構２０が収容され、収容空間１０ｆには、出力軸１２上に設けられたダンパ装置５０が収容されている。
【００３９】
ドライブギヤ１３は、その前後に筒状の支持部を有し、該支持部が前後に設けられた軸受１４、１５を介してトランスファケース１０ａの前側に回動可能に支持されている。同様に、ドリブンギヤ１６は、その前後の筒状の支持部が軸受１７、１８を介してトランスファケース１０ａの前側に回動可能に支持されている。ドライブギヤ１３とドリブンギヤ１６は、収容空間１０ｃと収容空間１０ｄが互いに連続する空間部分に噛合部が設けられている。
【００４０】
［カップリング機構］
カップリング機構２０は、ハウジング２１と、該ハウジング２１内に配設され、ハウジング２１と一体回転する複数のアウタクラッチプレート２２と、ハウジング２１内に配設され、入力軸１１とスプライン嵌合されて一体回転する中空軸部２３と、該中空軸部２３と一体回転し、アウタクラッチプレート２２と摩擦係合可能に構成された複数のインナクラッチプレート２４と、これらクラッチプレート２２、２４を摩擦係合させるために磁力を発生させる磁力発生部２５と、を備える。
【００４１】
カップリング機構２０は、アウタクラッチプレート２２と一体回転するハウジング２１の前部が軸受１９を介してトランスファケース１０ａの第２ケース部材１０ａ２に回転自在に支持されると共に、その磁力発生部２５が第３ケース部材１０ａ３に固定されている。ハウジング２１の前部の内周面は、ドライブギヤ１３の後端部の外周面とスプライン嵌合している。また、インナクラッチプレート２４と一体回転する中空軸部２３は、その内周面で入力軸１１の外周面とスプライン嵌合している。
【００４２】
これによれば、磁力発生部２５のコイルへ通電していない状態では、クラッチプレート２２、２４間が分断状態となっており、入力軸１１とドライブギヤ１３間にカップリング機構２０を介して駆動力が伝達されないため、左右の後輪のみが駆動され、前輪は駆動されない。ここで、磁力発生部２５のコイルへ通電すると、クラッチプレート２２、２４間が摩擦係合され、そのコイル電流の大きさに比例する締結トルクに応じて、入力軸１１とドライブギヤ１３間にカップリング機構２０を介して駆動力が伝達され、該駆動力によって前輪が駆動されて四輪駆動状態となる。
【００４３】
入力軸１１は、その後端部がトランスファケース１０ａの第３ケース部材１０ａ３の車両後方にある後壁部１０ｇを挿通してトランスファケース１０ａの外部に突出しており、この突出した後端部の外周面には、リヤプロペラシャフト（図示省略）と連結される連結部４１がスプライン嵌合され、該連結部４１は、この後端部から突出するねじ部にナット４２を締め付けることで軸方向に固定されている。また、連結部４１の外周面にはラビリンス４４が嵌合されている。
【００４４】
収容空間１０ｃ、１０ｄには、オイルシール４５〜４８によって、ドライブギヤ１３とドリブンギヤ１６との噛合部、及び、軸受１４、１５、１７、１８等を潤滑するオイルが封入されている。このオイルとしては、ドライブギヤ１３とドリブンギヤ１６との噛合部における焼付きを防止する成分を含むものが用いられる。また、収容空間１０ｅ、１０ｆは、オイルシール４３、４６とラビリンス４４によって、トランスファケース１０ａの外部及び隣接する収容空間１０ｃ、１０ｄに対して油密な状態に確保されている。
【００４５】
次に、図３を参照しながら、出力軸１２上の各部材の構成についてより詳細に説明する。
【００４６】
［ドリブンギヤ］
図３に示すように、ドリブンギヤ１６は、外周面に斜歯が形成されたギヤ本体部１６ａと、該ギヤ本体部１６ａから一体的に前方へ延びる円筒状の前方筒部１６ｂと、ギヤ本体部１６ａから一体的に後方へ延びる円筒状の後方筒部１６ｃと、を有し、これら前方筒部１６ｂと後方筒部１６ｃがそれぞれ軸受１７、１８を介してトランスファケース１０ａに支持されている。本実施形態において、ギヤ本体部１６ａと前方筒部１６ｂは、ほぼ同径の内周面を有し、後方筒部１６ｃは、その内周面がギヤ本体部１６ａと前方筒部１６ｂよりも縮径されている。後方筒部１６ｃの後方側は、その内周面にスプライン１６ｄが形成されており、その外周面には、オイルシール４８のリップが摺接する部分の後方にスプライン１６ｅが形成されており、該スプライン１６ｅは後述するダンパ装置５０の外筒部材５１のスプライン５１ｃとスプライン嵌合される。更に、このスプライン１６ｅの形成された外周面の略中央には、止め輪１６ｇが装着可能な周溝１６ｆが形成されており、該周溝１６ｆに止め輪１６ｇを装着することで、スプライン嵌合されたダンパ装置５０の外筒部材５１がドリブンギヤ１６に対して軸方向に固定される。
【００４７】
［自在継手］
自在継手６０は、所謂ツェッパ型等速自在継手であって、外側継手部材６１、内側継手部材６２、及びこれら継手部材６１、６２間でトルクを伝達するための複数のトルク伝達ボール６３（以下、単に「ボール６３」という）を備えている。
【００４８】
ここで、出力軸１２は、自在継手６０の外側継手部材６１と共用されている、すなわち、自在継手６０の外側継手部材６１は、この出力軸１２の嵌合部１２ａによって構成されている。図３に示すように、出力軸１２（外側継手部材６１）は、その前方に嵌合部１２ａとその後方に軸部１２ｂとを備えており、嵌合部１２ａは、その内側に球状内周面６１ａを有している。
【００４９】
一方、内側継手部材６２は、軸状部材であって、その前端部が同一軸線上に配置されたプロペラシャフト７０の後端部と結合されており、その後端部には球状外周面６２ａを有している。外側継手部材６１の球状内周面６１ａと内側継手部材６２の球状外周面６２ａにはそれぞれ、複数のトラック溝が互いに対向するように形成されており、外側継手部材６１と内側継手部材６２のトラック溝同士の間に各ボール６３が介在して設けられている。
【００５０】
また、外側継手部材６１の球状内周面６１ａと内側継手部材６２の球状外周面６２ａの間には、ボール６３を収容する窓部が周方向に沿って複数配設された保持器６４が設けられており、該保持器６４によってボール６３が外側継手部材６１の球状内周面６１ａと内側継手部材６２の球状外周面６２ａとの間に保持されている。
【００５１】
更に、グリース等の潤滑剤が封入された自在継手６０の内部を密封するために、外側継手部材６１の外周面と内側継手部材６２の外周面との間には、弾性部材からなるブーツ６５と、該ブーツ６５と一体的に結合されたブーツバンド６６とが設けられている。ブーツ６５は、その前方周縁部が内側継手部材６２の外周面に固定されると共に、その後方周縁部がブーツバンド６６を介して外側継手部材６１の外周面に固定されている。
【００５２】
出力軸１２の軸部１２ｂは、車両後方に向かって縮径される段付き軸形状を有し、軸部１２ｂの前方の大径部には、その外周面に周溝１２ｅが形成され、該周溝１２ｅにはＯリング１２ｆが嵌着されている。該Ｏリング１２ｆによって、軸部１２ｂの外周面とドリブンギヤ１６の後方筒部１６ｃの内周面との間をシールすることができる。
【００５３】
また、上述の周溝１２ｅの後方には、より縮径された中径部の外周面にスプライン１２ｄが形成されており、該スプライン１２ｄは、ドリブンギヤ１６の後方筒部１６ｃの内周面に形成されたスプライン１６ｄとスプライン嵌合される。
【００５４】
更に、上述のスプライン１２ｄの後方であって、更に縮径された後端の小径部の外周面には、スプライン１２ｃが形成されており、該スプライン１２ｃは、後述するダンパ装置５０の内筒部材５２の内周面に形成されたスプライン５２ａとスプライン嵌合される。
【００５５】
ここで、出力軸１２とダンパ装置５０とのスプライン嵌合部の周方向の嵌合隙間（すなわち、スプライン１２ｃの歯とスプライン５２ａの歯との間のクリアランス）は、出力軸１２とドリブンギヤ１６とのスプライン嵌合部の周方向の嵌合隙間（すなわち、スプライン１２ｄの歯とスプライン１６ｄの歯との間のクリアランス）よりも小さくなるように構成されている。
【００５６】
［ダンパ装置］
ダンパ装置５０は、その前方に設けられた筒状の外筒部材５１と、該外筒部材５１の内側に設けられた筒状の内筒部材５２と、外筒部材５１及び内筒部材５２間に設けられ、両部材５１、５２の相対回転を許容する弾性部材５３と、を備えている。
【００５７】
外筒部材５１は、ドリブン部材１６に連絡される連絡部５１ａと、該連絡部５１ａから連続して形成され、該連絡部５１ａよりも拡径された、弾性部材５３を支持するための支持部５１ｂとを有する。連絡部５１ａは、その内周面にスプライン５１ｃが形成されており、該スプライン５１ｃは、ドリブンギヤ１６の後方筒部１６ｃの外周面に形成されたスプライン１６ｅとスプライン嵌合される。
【００５８】
内筒部材５２は、出力軸１２に連結される管状部材であり、その前方の内周面にスプライン５２ａが形成されており、該スプライン５２ａは、出力軸１２の軸部１２ｂの小径部外周面に形成されたスプライン１２ｃとスプライン嵌合される。また、内筒部材５２の後端開口部には、キャップ部材５４が嵌合されている。
【００５９】
弾性部材５３は、外筒部材５１の支持部５１ｂの内周面と、内筒部材５２の外周面との間を埋めるように設けられたリング形状の部材であり、共振周波数を常用域外へ移動させる効果が得られる所望の弾性と強度を備えたゴム等の弾性材料で一体的に形成されている。これら外筒部材５１、内筒部材５２及び弾性部材５３は、同心状に設けられ、互いに一体的に結合されている。
【００６０】
本実施形態において、ダンパ装置５０は、ドリブンギヤ１６の後方を支持する軸受１８の車両後方であって、車両前後方向においてカップリング機構２０と重複する位置に設けられている。
【００６１】
これによれば、前輪側への伝達されるトルク（ドリブンギヤ１６から出力軸１２へ伝達されるトルク）が所定値以下の場合、ドリブンギヤ１６からダンパ装置５０を経由して出力軸１２へトルクを伝達することができる。ダンパ装置５０の弾性部材５３の外周部に対する内周部のねじれによって、外筒部材５１に対して弾性部材５３を介して接続された内筒部材５２がその中心軸周りに僅かに回転する。このようなダンパ装置５０のダンパ機能によって、例えば、エンジン１やドライブギヤ１３とドリブンギヤ１６の噛合部等で生じたねじり方向の共振周波数を常用域外へ移動させることができる。
【００６２】
一方、前輪側へ伝達されるトルクが所定値を超えると、ドリブンギヤ１６とのスプライン嵌合部の嵌合隙間が詰まり、ドリブンギヤ１６から出力軸１２へトルクをダンパ装置５０を介さずに直接伝達することができる。そのため、この嵌合隙間が広いスプライン嵌合部は、ダンパ装置５０の相対回転量を規制するストッパ機構として機能し、過剰なトルクがダンパ装置５０にかかるのを回避しながら、エンジン１で生じた大きなトルクも前輪側へ確実に伝達することができる。
【００６３】
なお、ダンパ装置５０として、ダイナミックダンパや遠心振り子ダンパを適用してもよい。また、ダンパ装置５０の弾性部材５３として、スプリングを用いてもよい。
【００６４】
［トランスファ構造の組付方法］
次に、本発明の実施形態に係る車両のトランスファ構造の組付方法について、図４〜図７を参照しながら詳細に説明する。
【００６５】
まず、図４に示すように、内側継手部材６２と、外周面１２ｂ１にＯリング１２ｆを有する外側継手部材６１（出力軸１２）とをサブアセンブリして自在継手６０を準備する（第１工程）。
【００６６】
次に、図５、６に示すように、サブアセンブリされた自在継手６０を収容部１６ｈのエンジン側に設けられた開口部１６ｉから収容部１６ｈ内に移動させてドリブンギヤ１６に組み付ける（第２工程）。
【００６７】
この第２工程において、図５に示すように、出力軸１２の後端部を収容部１６ｈに入れ始めのときは、プロペラシャフト７０の前方に設けられた自在継手８０とデファレンシャルギヤ９０とが干渉しないように、プロペラシャフト７０と共に出力軸１２を傾けた状態にし、その後、図６に示すように、出力軸１２が収容部１６ｈの奥へ入るにつれて、ドリブンギヤ１６に嵌合しやすくなるように、プロペラシャフト７０と出力軸１２の傾きを小さくした方が組み付けやすい。
【００６８】
また、このとき、出力軸１２のスプライン１２ｄとドリブンギヤ１６のスプライン１６ｄが互いに軸方向に摺動しながらスプライン嵌合されると共に、出力軸１２のスプライン１２ｃとダンパ装置５０のスプライン５２ａが互いに軸方向に摺動しながらスプライン嵌合される。
【００６９】
第２工程が完了すると、図７に示すように、出力軸１２の軸部１２ｂの外周面１２ｂ１とドリブンギヤ１６の内周面１６ｃ１との間がＯリング１２ｆによってシールされた状態となり、自在継手６０のドリブンギヤ１６への組み付けが完了する。
【００７０】
［トランスファ構造の交換方法］
次に、本発明の実施形態に係る車両のトランスファ構造の交換方法について、説明する。
【００７１】
まず、内側継手部材６２と、外周面１２ｂ１にＯリング１２ｆを有する外側継手部材６１とを有する自在継手６０を、収容部１６ｈ内においてドリブンギヤ１６に組み付けされた位置から収容部１６ｈのエンジン側に設けられた開口部１６ｉを通ってトランスファ装置１０の外部に移動させて取り外す（第１工程）。
【００７２】
次に、図４に示すように、内側継手部材６２と、外周面１２ｂ１にＯリング１２ｆを有する外側継手部材６１（出力軸１２）とをサブアセンブリして交換用の自在継手６０を準備する（第２工程）。
【００７３】
最後に、図５、６に示すように、サブアセンブリされた交換用の自在継手６０を収容部１６ｈのエンジン側に設けられた開口部１６ｉから収容部１６ｈ内に移動させてドリブンギヤ１６に組み付ける（第３工程）。
【００７４】
（変形例）
次に、上述のトランスファ装置１０の変形例について、図８を参照しながら説明する。なお、上述の実施形態と共通する構成については、説明を省略すると共に、図面に同一の符号を付している。
【００７５】
変形例のトランスファ装置１０は、出力軸１２の軸部１２ｂの外周面１２ｂ１とドリブンギヤ１６の内周面１６ｃ１との間をシールするためのＯリングを設ける位置のみが異なる。すなわち、ドリブンギヤ１６の内周面１６ｃ１に周溝１６ｊが形成され、該周溝１６ｊにＯリング１６ｋが嵌着されている。Ｏリング１６ｋによれば、前述の実施形態のＯリング１２ｆと同様に、軸部１２ｂの外周面１２ｂ１とドリブンギヤ１６の後方筒部１６ｃの内周面１６ｃ１との間をシールすることができる。
【００７６】
［トランスファ構造の組付方法］
まず、図４に示すように、内側継手部材６２と外側継手部材６１（出力軸１２）とをサブアセンブリして自在継手６０を準備する（第１工程）。
【００７７】
次に、図５、６に示すように、サブアセンブリされた自在継手６０を収容部１６ｈのエンジン側に設けられた開口部１６ｉから収容部１６ｈ内に移動させて、内周面１６ｃ１にＯリング１６ｋを有するドリブンギヤ１６に組み付ける（第２工程）。
【００７８】
［トランスファ構造の交換方法］
【００７９】
まず、内側継手部材６２と外側継手部材６１を有する自在継手６０を、収容部１６ｈ内においてドリブンギヤ１６に組み付けされた位置から収容部１６ｈのエンジン側に設けられた開口部１６ｉを通ってトランスファ装置１０の外部に移動させて取り外す（第１工程）。
【００８０】
次に、図４に示すように、内側継手部材６２と外側継手部材６１（出力軸１２）をサブアセンブリして交換用の自在継手６０を準備する（第２工程）。
【００８１】
最後に、図５、６に示すように、サブアセンブリされた交換用の自在継手６０を収容部１６ｈのエンジン側に設けられた開口部１６ｉから収容部１６ｈ内に移動させて内周面１６ｃ１にＯリング１６ｋを有するドリブンギヤ１６に組み付ける（第３工程）。
【００８２】
以上のように、これら実施形態とその変形例によれば、自在継手６０の外側継手部材６１の外周面１２ｂ１と、ドリブンギヤ１６の内周面１６ｃ１との間にＯリング１２ｆ、１６ｋが設けられているので、トランスファ装置１０の内部に設けられた自在継手６０を交換する際、単にドリブンギヤ１６の内側から外側継手部材６１を内側継手部材６２と共にトランスファ装置１０の外部へ引き抜けばよく、トランスファ装置１０自体を分解する必要がない。そのため、トランスファ装置１０のシール性を確保しながらサービス性を向上させることができる。
【００８３】
また、Ｏリング１２ｆ、１６ｋは、外側継手部材６１の軸部１２ｂの外周面１２ｂ１に配設されているので、Ｏリング１２ｆ、１６ｋの大径化を抑制し、Ｏリング１２ｆ、１６ｋによる摩擦抵抗を低減することができる。更に、外側継手部材６１の軸部１２ｂの外周面１２ｂ１とドリブンギヤ１６の内周面１６ｃ１とを連結するスプライン１６ｄとスプライン１２ｄ間のスプライン嵌合部を有し、Ｏリング１２ｆ、１６ｋは、このスプライン嵌合部のエンジン側に配設されているので、このスプライン嵌合部への水等の侵入を防止することができる。
【００８４】
また、本実施形態によれば、外側継手部材６１にＯリング１２ｆを設けた形態の場合にも、自在継手６０の組み付けを容易にすると共に、自在継手６０のサービス性を向上させることができる。
【００８５】
また、本実施形態の変形例によれば、ドリブンギヤ１６にＯリング１６ｋを設けた形態の場合にも、自在継手６０の組み付けを容易にすると共に、自在継手６０のサービス性を向上させることができる。
【００８６】
本発明は、例示された実施の形態に限定されるものではなく、本発明の要旨を逸脱しない範囲において、種々の改良及び設計上の変更が可能である。
【００８７】
例えば、本実施形態では、ドライブ部材及びドリブン部材として、互いに係合するドライブギヤ１３及びドリブンギヤ１６用いてエンジン１の動力を車輪に伝達するトランスファ装置１０について説明したが、これに限定されるものではなく、チェーンを介して連絡されたドライブスプロケット及びドリブンスプロケットを用いて動力伝達するものにも適用することができる。
【産業上の利用可能性】
【００８８】
以上のように、本発明によれば、車両のトランスファ装置において、自在継手を交換する際、トランスファ装置自体を分解する必要がないため、サービス性が向上するので、この種の車両のトランスファ装置又はこれが搭載される車両の製造産業分野において、好適に利用される可能性がある。
【符号の説明】
【００８９】
２    変速機
１０    トランスファ装置（トランスファ構造）
１１    トランスファ入力軸
１２    トランスファ出力軸
１２ａ    嵌合部
１２ａ１    外周面
１２ｂ    軸部
１２ｄ    連結部
１２ｆ    Ｏリング（シール部材）
１３    ドライブギヤ（ドライブ部材）
１６    ドリブンギヤ（ドリブン部材）
１６ａ１  内周面
１６ｈ    収容部
１６ｉ    開口部
６０    自在継手
６１    外側継手部材
６２    内側継手部材
【図１】
0006369416.tif 000002
【図２】
0006369416.tif 000003
【図３】
0006369416.tif 000004
【図４】
0006369416.tif 000005
【図５】
0006369416.tif 000006
【図６】
0006369416.tif 000007
【図７】
0006369416.tif 000008
【図８】
0006369416.tif 000009